(57)【要約】本発明は、移動通信網において発信側端末機が通話呼の接続を試みた後、着信側端末機が応答して通話接続される前にオーディオまたはビデオなどのマルチメディアコンテンツを上記着信側端末機に提供する方法に係る。本発明によれば、移動通信網において着信者が呼を受信する前に着信側端末機と移動通信網間においてマルチメディア伝送が可能なプロトコルを設定し、イメージや動画などのマルチメディアを着信者が呼を受信する前に着信側端末機に伝送することができる。これにより、着信者は、通話が接続される前にマルチメディアを楽しむことができる。また、上記マルチメディアが発信者に係るオーディオまたは動画であれば、着信者は、受信されたマルチメディアから発信者を確認することもできる。
2010500812.tif 000002
【特許請求の範囲】
【請求項１】
移動通信システムにおいて発信側端末機が通話呼の接続を試みた後、着信側端末機が応答して通話接続される前にマルチメディアコンテンツを前記着信側端末機に提供する方法であって、
発信側端末機の通話要求時に発信側交換機が着信側交換機に着信側端末機の識別情報を含むアドレス開始メッセージ（ＩＡＭ）を伝送するステップ（ａ）と、
着信側交換機が着信セットアップメッセージを着信側端末機に伝送するステップ（ｂ）と、
前記着信セットアップメッセージの動作命令に応じて着信側端末機と前記着信側交換機間においてマルチメディア伝送用チャンネルを設定するステップ（ｃ）、及び
前記着信側交換機内に格納されたマルチメディアデータを前記着信側端末機に提供するステップ（ｄ）とを含むことを特徴とする、マルチメディアコンテンツを着信側端末機に提供する方法。
【請求項２】
前記着信側端末機が前記発信側端末機の通話要求呼に応答して該呼を受信するステップ（ｅ）と、
前記着信側端末機と前記着信側交換機間において接続されていたマルチメディア伝送用チャンネルを解除するステップ（ｆ）、及び
前記着信側端末機と前記発信側端末機間において音声またはビデオ通話用チャンネルを設定するステップ（ｇ）とをさらに含むことを特徴とする請求項１に記載の方法。
【請求項３】
前記マルチメディアコンテンツは、オーディオデータ、ビデオデータ、またはイメージデータであることを特徴とする請求項１に記載の方法。
【請求項４】
前記ステップ（ｂ）のセットアップメッセージは、経過識別子パラメーターを含み、前記経過識別子パラメーターは、前記着信側端末機と前記着信側交換機間においてビデオ通話用チャンネルを設定するためのプロトコル開始命令を含むことを特徴とする請求項１に記載の方法。
【請求項５】
前記マルチメディア伝送用チャンネルを設定するためのプロトコルは、ビデオ通話用プロトコルであることを特徴とする請求項１に記載の方法。
【請求項６】
前記ビデオ通話用プロトコルは、３Ｇ.３２４Ｍプロトコルであることを特徴とする請求項５に記載の方法。
【請求項７】
前記マルチメディア伝送用チャンネルを設定するためのプロトコルは、無線パケット網への接続のためのプロトコルであることを特徴とする請求項１に記載の方法。
【請求項８】
前記ステップ（ａ）とステップ（ｂ）との間には、前記着信側交換機が前記着信側端末機にページングを行い、前記着信側端末機から前記ページングに対する応答を受信するステップをさらに含むことを特徴とする請求項１に記載の方法。
【請求項９】
移動通信システムにおいて発信側端末機が通話呼の接続を試みた後、着信側端末機が応答して通話接続される前にマルチメディアコンテンツを前記着信側端末機に提供する方法であって、
発信側端末機の通話要求時に発信側交換機が着信側交換機に着信側端末機の識別情報を含むアドレス開始メッセージ（ＩＡＭ）を伝送するステップ（ａ）と、
着信側交換機が着信セットアップメッセージを着信側端末機に伝送するステップ（ｂ）と、
前記着信セットアップメッセージの動作命令に応じて着信側端末機と前記着信側交換機間及び前記着信側交換機とメディアＩＰ（Ｉｎｔｅｌｌｉｇｅｎｔ Ｐｅｒｉｐｈｅｒａｌ）間においてマルチメディア伝送用チャンネルを設定するステップ（ｃ）、及び
前記メディアＩＰがマルチメディアデータを前記着信側端末機に提供するステップ（ｄ）とを含むことを特徴とする、マルチメディアコンテンツを着信側端末機に提供する方法。
【請求項１０】
前記着信側端末機が前記発信側端末機の通話要求呼に応答して呼を受信するステップ（ｅ）と、
前記着信側端末機と前記着信側交換機間及び前記着信側交換機と前記メディアＩＰ間において接続されていたマルチメディア伝送用チャンネルを解除するステップ（ｆ）、及び
前記着信側端末機と前記発信側端末機間において音声またはビデオ通話用チャンネルを設定するステップ（ｇ）をさらに含むことを特徴とする請求項９に記載の方法。
【請求項１１】
前記マルチメディアコンテンツは、オーディオデータ、ビデオデータ、またはイメージデータであることを特徴とする請求項９に記載の方法。
【請求項１２】
前記ステップ（ｂ）のセットアップメッセージは、経過識別子パラメーターを含み、前記経過識別子パラメーターは、前記着信側端末機と前記着信側交換機間及び前記着信側交換機と前記メディアＩＰ間においてマルチメディア伝送用チャンネルを設定するためのプロトコル開始命令を含むことを特徴とする請求項９に記載の方法。
【請求項１３】
前記マルチメディア伝送用チャンネルを設定するためのプロトコルは、ビデオ通話用プロトコルであることを特徴とする請求項９に記載の方法。
【請求項１４】
前記ビデオ通話用プロトコルは、３Ｇ.３２４Ｍプロトコルであることを特徴とする請求項１３に記載の方法。
【請求項１５】
前記マルチメディア伝送用チャンネルを設定するためのプロトコルは、無線パケット網への接続のためのプロトコルであることを特徴とする請求項９に記載の方法。
【請求項１６】
前記メディアＩＰが前記着信側端末機に提供するマルチメディアデータは、前記メディアＩＰが加入者サーバーから獲得したメディアコードに対応するマルチメディアデータであることを特徴とする請求項９に記載の方法。
【請求項１７】
着信側交換機がメディアＩＰにＩＡＭメッセージを伝送するステップ（ｈ１）と、
前記メディアＩＰが加入者サーバーに対し前記発信側端末機の使用者が設定したマルチメディアコンテンツの識別情報であるメディアコードを要請するステップ（ｈ２）、及び
前記メディアＩＰが前記加入者サーバーから前記発信側端末機使用者が設定したメディアコードを受信するステップ（ｈ３）をさらに含み、
前記ステップ（ｈ１）ないしステップ（ｈ３）は、前記ステップ（ａ）が完了した後に行なわれることを特徴とする請求項１６に記載の方法。
【請求項１８】
前記ステップ（ａ）とステップ（ｂ）との間には、前記着信側交換機が前記着信側端末機にページングを行い、前記着信側端末機から前記ページングに対する応答を受信するステップをさらに含むことを特徴とする請求項９に記載の方法。
【請求項１９】
発信側端末機が通話呼の接続を試みた後、着信側端末機が応答して通話接続される前にマルチメディアコンテンツを前記着信側端末機に提供するための移動通信システムであって、
前記着信側端末機と接続している着信側交換機、及び
前記着信側端末機に提供するためのマルチメディアコンテンツを格納し、前記着信側交換機と連動するメディアＩＰを含み、
前記発信側端末機が通話呼の接続を試みた後、前記着信側端末機が該呼に応答して呼が接続されるまでの間に、前記メディアＩＰと前記着信側交換機間及び前記着信側交換機と前記着信側端末機間においてはマルチメディア伝送用チャンネルが形成され、前記メディアＩＰに格納されていたマルチメディアコンテンツが前記着信側交換機を介して、前記着信側端末機に伝送されることを特徴とする移動通信システム。
【請求項２０】
前記着信側端末機が前記発信側端末機の通話要求呼に応答して該呼を受信した後は、前記メディアＩＰと前記着信側交換機間及び前記着信側交換機と前記着信側端末機間において接続されていた前記マルチメディア伝送用チャンネルは解除されることを特徴とする請求項１９に記載の移動通信システム。
【請求項２１】
前記マルチメディアコンテンツは、オーディオデータ、ビデオデータ、またはイメージデータであることを特徴とする請求項１９に記載の移動通信システム。
【請求項２２】
前記マルチメディア伝送用チャンネルを設定するためのプロトコルは、３Ｇ.３２４Ｍプロトコルであることを特徴とする請求項１９に記載の移動通信システム。
【発明の詳細な説明】
【技術分野】
【０００１】
本発明は、移動通信網において発信側端末機が通話呼の接続を試みた後、着信側端末機が応答して通話接続される前にオーディオまたはビデオなどのマルチメディアコンテンツを上記着信側端末機に提供する方法に関する。
【背景技術】
【０００２】
図１は、３Ｇ.３２４Ｍプロトコルを使用するＷＣＤＭＡ方式の移動通信網においてビデオ通話を提供するための一般的な呼処理過程を示したフローチャートである。
【０００３】
先ず、発信側端末機１０（ＭＳＯ：Ｍｏｂｉｌｅ Ｓｔａｔｉｏｎ Ｏｒｉｇｉｎａｔｅ）から着信側端末機５０（ＭＳＴ：Ｍｏｂｉｌｅ Ｓｔａｔｉｏｎ Ｔａｒｇｅｔ）へとビデオ電話をかけると、ビデオ通話を行なうことができるように３Ｇ.３２４Ｍプロトコルを設定するための呼セットアップメッセージが発信側端末機１０から発信側交換機２０（ＭＳＣＯ：Ｍｏｂｉｌｅ Ｓｗｉｔｃｈｉｎｇ Ｃｅｎｔｅｒ Ｏｒｉｇｉｎａｔｅ）に伝送される（Ｓ１１０）。上記呼セットアップメッセージ内において、呼の情報伝達能力（ＩＴＣ：Ｉｎｆｏｒｍａｔｉｏｎ Ｔｒａｎｓｆｅｒ Ｃａｐａｂｉｌｉｔｙ）値がデジタルデータの転送が可能になるようにＵＤＩ（Ｕｎｒｅｓｔｒｉｃｔｅｄ Ｄｉｇｉｔａｌ Ｉｎｆｏｒｍａｔｉｏｎ）に設定され、ＯＲＡ（Ｏｔｈｅｒ Ｒａｔｅ Ａｄａｐｔａｔｉｏｎ）フィールドが３Ｇ.３２４Ｍプロトコルに設定される。上記３Ｇ.３２４Ｍプロトコルは、マルチメディアデータの多重分離方法に関する規格であるＨ.２２３プロトコル及びシステム制御に関する規格であるＨ.２４５プロトコルを含む。
【０００４】
次に、上記発信側交換機２０は、上記発信側端末機１０に対し呼設定のための処理中である旨のメッセージ（Ｃａｌｌ Ｐｒｏｃｅｅｄｉｎｇ）を伝送する（Ｓ１１２）。
【０００５】
また、着信側端末機５０に呼を接続するために、ホーム・ローケーション・レジスタ３０（ＨＬＲ：Ｈｏｍｅ Ｌｏｃａｔｉｏｎ Ｒｅｇｉｓｔｅｒ）に着信側端末機の位置情報である伝送ルーティング情報（ＳＲＩ：Ｓｅｎｄ Ｒｏｕｔｉｎｇ Ｉｎｆｏｒｍａｔｉｏｎ）を要請する（Ｓ１２０）。
【０００６】
上記ＳＲＩ要請に対し、ＨＬＲ３０では、着信側端末機５０が接続している着信側交換機４０（ＭＳＣＴ：Ｍｏｂｉｌｅ Ｓｗｉｔｃｈｉｎｇ Ｃｅｎｔｅｒ Ｔａｒｇｅｔ）にローミング番号提供（ＰＲＮ：Ｐｒｏｖｉｄｅ Ｒｏａｍｉｎｇ Ｎｕｍｂｅｒ）を要請する（Ｓ１２２）。
【０００７】
上記ＰＲＮ要請に対する応答として、上記着信側交換機４０は、ＨＬＲ３０にＰＲＮ情報を伝送し（Ｓ１２４）、上記ＨＬＲ３０は、上記ＳＲＩ要請に対する応答として、上記ＰＲＮ情報から読み取られるＳＲＩ情報を発信側交換機２０に伝送する（Ｓ１２６）。
【０００８】
次に、発信側交換機２０は、上記ＳＲＩ情報から着信側端末機５０の位置を読み取り、上記着信側端末機５０と接続している着信側交換機４０に着信側端末機の識別情報（電話番号）を含むアドレス開始メッセージ（ＩＡＭ：Ｉｎｉｔｉａｌ Ａｄｄｒｅｓｓ Ｍｅｓｓａｇｅ）を伝送し（Ｓ１３０）、上記着信側端末機５０との回線接続を要求する。
【０００９】
次に、上記着信側交換機４０は、ＩＡＭに応じて着信側端末機５０にページングを伝送し（Ｓ１５０）、着信側端末機５０は、上記ページングに対する応答メッセージ（Ｐａｇｉｎｇ Ｒｅｓｐｏｎｓｅ）を上記着信側交換機４０に伝送する（Ｓ１５２）。
【００１０】
次に、上記着信側交換機４０は、上記着信側端末機５０に着信セットアップメッセージ（Ｓｅｔｕｐ）を伝送し（Ｓ１６０）、これに対し、着信側端末機５０は、着信側交換機４０に呼の確認（Ｃａｌｌ Ｃｏｎｆｉｒｍｅｄ）メッセージを伝送した後（Ｓ１６２）、Ａｌｅｒｔメッセージを着信側交換機４０に伝送し（Ｓ１７０）、このとき、着信側端末機と着信側交換機間においてトラフィックチャンネルが設定される。
【００１１】
一方、着信側交換機４０は、ＩＡＭメッセージの受信に応答して着信側端末機の識別情報を読み取った旨を知らせるアドレス完了メッセージ（ＡＣＭ：Ａｄｄｒｅｓｓ Ｃｏｍｐｌｅｔｅ Ｍｅｓｓａｇｅ）を発信側交換機２０に伝送し（Ｓ１７８）、上記発信側交換機２０は、発信側端末機にそれを知らせるＡｌｅｒｔメッセージを伝送する（Ｓ１７９）。
【００１２】
次に、着信側端末機５０が呼着信に応答して呼を受信すれば、着信側端末機５０は、着信側交換機４０に接続メッセージ（Ｃｏｎｎｅｃｔ）を伝送し（Ｓ１８０）、その応答（Ｃｏｎｎｅｃｔ Ａｃｋ）を受信する（Ｓ１８２）。
【００１３】
一方、着信側交換機５０は、着信側端末機５０から接続メッセージを受信すれば、ＡＮＭ（Ａｎｓｗｅｒ Ｍｅｓｓａｇｅ）を発信側交換機２０に伝送する（Ｓ１８４）。次に、発信側交換機２０は、発信側端末機１０に接続メッセージ（ｃｏｎｎｅｃｔ）を伝送し（Ｓ１８６）、その応答（ｃｏｎｎｅｃｔ ａｃｋ）を受信する（Ｓ１８８）。
【００１４】
このようにして発信側端末機１０と受信端末機５０間において呼が接続されると、Ｈ.２４５プロトコルによる音声及び映像チャンネルの設定などに関する交渉が行なわれ（Ｓ１９０）、Ｈ.２２３プロトコルを介して映像及び音声データが伝送される（Ｓ１９２）。
【００１５】
しかしながら、このような方式の移動通信サービスでは、発信側端末機と着信側端末機間においてトラフィックチャンネルが設定された後（Ｓ１７０ないしＳ１７９）、着信者が呼を受信する（Ｓ１８０）までにはオーディオやビデオのマルチメディア信号を着信側端末機に伝送することができない。
【００１６】
このため、従来は、着信側端末機の着メロが鳴っている途中にマルチメディアを伝送するサービスの提供は不可能な実情であった。
【発明の概要】
【発明が解決しようとする課題】
【００１７】
本発明は、上記のような従来技術の問題点を解決するためになされたものであって、本発明では移動通信網における通話の際、着信者が呼を受信する前に着信側端末機と網間においてマルチメディアの伝送が可能なプロトコルを設定し、イメージや動画などのマルチメディアを着信者が呼を受信する前に着信側端末機に伝送することができる。
【００１８】
この結果、着信者は通話が接続される前にマルチメディアを楽しむことができる。また、上記マルチメディアが発信者に係るオーディオまたは動画である場合、着信者は受信されるマルチメディアから発信者を確認することもできる。
本発明の目的は、移動通信において呼が接続される前に着信側端末機にマルチメディアコンテンツを提供する方法を提供することである。
【課題を解決するための手段】
【００１９】
本発明は、移動通信網において発信側端末機が通話呼の接続を試みた後、着信側端末機が応答して通話接続される前の、着メロが鳴っている間にオーディオまたはビデオなどのマルチメディアコンテンツを上記着信側端末機に提供する方法に関する。
【００２０】
本発明における上記マルチメディアコンテンツは、オーディオとビデオとが組み合わされたマルチメディアデータであってよく、オーディオまたはビデオだけからなるマルチメディアデータであってもよい。本発明によって提供される上記マルチメディアコンテンツは、発信者が予め指定し、移動通信事業者の交換機、メディアＩＰ（Ｉｎｔｅｌｌｉｇｅｎｔ Ｐｅｒｉｐｈｅｒａｌ）または加入者のサーバーに格納されているデータである。
【００２１】
具体的に、本発明によって着信側端末機にマルチメディアコンテンツを提供する方法は、発信側端末機の通話要求時に発信側交換機が着信側交換機に着信側端末機の識別情報を含むアドレス開始メッセージ（ＩＡＭ）を伝送するステップ（ａ）と、着信側交換機が着信セットアップメッセージを着信側端末機に伝送するステップ（ｂ）と、上記着信セットアップメッセージの動作命令に応じて着信側端末機と上記着信側交換機間においてマルチメディア伝送用チャンネルを設定するステップ（ｃ）、及び上記着信側交換機内に格納されたマルチメディアデータを上記着信側端末機に提供するステップ（ｄ）とを含む。
【００２２】
代案として、本発明によって着信側端末機にマルチメディアコンテンツを提供する方法は、交換機に代えて、加入者サーバーに格納されていたマルチメディアコンテンツをメディアＩＰ（Ｉｎｔｅｌｌｉｇｅｎｔ Ｐｅｒｉｐｈｅｒａｌ）を介して着信側端末機に提供することができる。このような場合、本発明によって着信側端末機にマルチメディアコンテンツを提供する方法は、発信側端末機の通話要求時に発信側交換機が着信側交換機に着信側端末機の識別情報を含むアドレス開始メッセージ（ＩＡＭ）を伝送するステップ（ａ）と、着信側交換機が着信セットアップメッセージを着信側端末機に伝送するステップ（ｂ）と、上記着信セットアップメッセージの動作命令に応じて着信側端末機と上記着信側交換機間及び上記着信側交換機とメディアＩＰ間においてマルチメディア伝送用チャンネルを設定するステップ（ｃ）、及び上記メディアＩＰがマルチメディアデータを上記着信側端末機に提供するステップ（ｄ）とを含む。
【００２３】
また、本発明は、マルチメディア伝送が可能な移動通信プロトコルを使用し、発信側端末機が通話呼の接続を試みた後、着信側端末機が応答して通話接続される前にマルチメディアコンテンツを上記着信側端末機に提供するための移動通信システムに関するものであって、上記着信側端末機と接続している着信側交換機、及び上記着信側端末機に提供するためのマルチメディアコンテンツを格納し、上記着信側交換機と連動するメディアＩＰを含む。本発明による移動通信システムにおいて、上記発信側端末機が通話呼の接続を試みた後、上記着信側端末機が該呼に応答して呼が接続されるまでの間に、上記メディアＩＰと上記着信側交換機間及び上記着信側交換機と上記着信側端末機間においてはマルチメディア伝送用チャンネルが形成され、上記メディアＩＰに格納されていたマルチメディアコンテンツが上記着信側交換機を介して上記着信側端末機に伝送されてよい。
【発明の効果】
【００２４】
本発明によれば、移動通信網において着信者が呼を受信する前に着信側端末機と移動通信網間においてマルチメディア伝送が可能なプロトコルを設定し、イメージや動画などのマルチメディアを着信者が呼を受信する前に着信側端末機に伝送することができる。これにより、着信者は、通話が接続される前にマルチメディアを楽しむことができる。また、上記マルチメディアが発信者に係るオーディオまたは動画であれば、着信者は、受信されたマルチメディアから発信者を確認することもできる。
【図面の簡単な説明】
【００２５】
【図１】ビデオ通話が可能なＷＣＤＭＡ方式の移動通信網における一般的な呼処理過程を示したフローチャートである。
【図２】本発明の第１実施の形態によるビデオ通話の着信待ち時にマルチメディアコンテンツを提供する過程を示したフローチャートである。
【図３】本発明の第２実施の形態によるビデオ通話の着信待ち時にマルチメディアコンテンツを提供する過程を示したフローチャートである。
【図４】上記第２実施の形態によるビデオ通話の着信待ち時にマルチメディアコンテンツを提供する場合の通信システムの構成を示した図である。
【図５】本発明の第３実施の形態によるＩＰ網を介した通話の着信待ち時にマルチメディアコンテンツを提供する場合の通信システムの構成を示した図である。
【図６】上記第３実施の形態による着信待ち時にマルチメディアコンテンツを提供する過程を示したフローチャートである。
【発明を実施するための形態】
【００２６】
以下、図面を参照して本発明の実施の形態について具体的に説明する。なお、本発明がかかる実施の形態によって制限されるものではない。
【００２７】
以下に示す第１実施の形態及び第２実施の形態は、３Ｇ.３２４Ｍの規格を用いるＷＣＤＭＡ方式の第３世代移動通信網に適用される場合の例である。以下に示す第３実施の形態は、ＩＰ（Ｉｎｔｅｒｎｅｔ Ｐｒｏｔｏｃｏｌ）網のような無線パケット網を介して通話をする場合の例である。
【００２８】
図２は、本発明の第１実施の形態によるビデオ通話の着信待ち時にマルチメディアコンテンツを提供する過程を示したフローチャートである。
【００２９】
図２に示された呼処理過程において、発信側端末機１０がビデオ通話を行なうことができるように３Ｇ.３２４Ｍプロトコルを設定するための呼セットアップメッセージを発信側交換機２０に伝送するステップ（Ｓ２１０）から、着信側交換機４０がＩＡＭに応じて着信側端末機５０にページングを伝送し（Ｓ２５０）、着信側端末機５０が上記ページングに対する応答メッセージ（Ｐａｇｉｎｇ Ｒｅｓｐｏｎｓｅ）を上記着信側交換機４０に伝送するステップ（Ｓ２５２）までは、前述した従来のＷＣＤＭＡ方式の移動通信網（３Ｇ.３２４Ｍ規格の使用）においてビデオ通話を提供するための一般的な呼処理過程と同じであるため、ここではその説明を省略する。
【００３０】
着信側端末機５０がページングに対する応答メッセージ（Ｐａｇｉｎｇ Ｒｅｓｐｏｎｓｅ）を上記着信側交換機４０に伝送（Ｓ２５２）した後、着信側交換機４０は、上記着信側端末機５０に着信セットアップメッセージ（Ｓｅｔｕｐ）を伝送する（Ｓ２６０）。ここで使用される上記着信セットアップメッセージは、経過識別子（ＰｒｏｇｒｅｓｓＩｎｄｉｃａｔｏｒ）パラメーターにビデオ通話のための３Ｇ.３２４Ｍプロトコル開始命令（Ｒｅｑｕｅｓｔ ３Ｇ.３２４Ｍ Ｉｎｉｔｉａｔｉｏｎ）を含む。すなわち、着信側交換機は、着信セットアップメッセージに含まれた経過識別子（ＰｒｏｇｒｅｓｓＩｎｄｉｃａｔｏｒ）パラメーター値により３Ｇ.３２４Ｍ試みを着信側端末機に伝達することにより、着信側端末機と着信側交換機間においてトラフィックチャンネルが設定されると、即時にＨ.２４５交渉が開始できるようにする。
【００３１】
着信側端末機５０が着信側交換機４０に呼確認（Ｃａｌｌ Ｃｏｎｆｉｒｍｅｄ）メッセージを伝送し（Ｓ２６２）、Ａｌｅｒｔメッセージを着信側交換機４０に伝送する（Ｓ２７０）。また、着信側端末機５０は、上記セットアップメッセージの経過識別子パラメーターに含まれた３Ｇ.３２４Ｍプロトコル開始命令に応じて、Ｈ.２４５プロトコル設定を試みて、着信側交換機４０と着信側端末機５０間においてＨ.２４５プロトコルによるチャンネルが設定される（Ｓ２７４）。上記チャンネルを介してＨ.２２３プロトコルに基づき、上記着信側交換機４０はＤｅｆａｕｌｔと設定したマルチメディアデータまたは発信者が予め設定したマルチメディアコンテンツを着信側端末機５０にアーリーメディア（ｅａｒｌｙ ｍｅｄｉａ）として提供する（Ｓ２７６）。
【００３２】
したがって、着信側端末機に着メロが鳴っている途中にイメージまたは動画などのビデオデータを上記着信側端末機にディスプレイすることができる。また、着信側端末機において着メロの代りに特定のオーディオのマルチメディアデータを出力することができる。
一方、着信側交換機４０は、着信側端末機の識別情報を読み取った旨を知らせるＡＣＭ（Ａｄｄｒｅｓｓ Ｃｏｍｐｌｅｔｅ Ｍｅｓｓａｇｅ）を発信側交換機２０に伝送し（Ｓ２７８）、上記発信側交換機２０は、発信側端末機にそれを知らせるＡｌｅｒｔメッセージを伝送する（Ｓ２７９）。
【００３３】
次に、着信側端末機５０が呼着信に応答して呼を受信すれば、着信側端末機５０は着信側交換機４０に接続メッセージ（Ｃｏｎｎｅｃｔ）を伝送し（Ｓ２８０）、その応答（Ｃｏｎｎｅｃｔ Ａｃｋ）を受信する（Ｓ２８２）。
【００３４】
一方、着信側交換機４０は、着信側端末機５０から接続メッセージを受信すれば、ＡＮＭ（Ａｎｓｗｅｒ Ｍｅｓｓａｇｅ）を発信側交換機２０に伝送し（Ｓ２８４）、発信側交換機２０は、発信側端末機１０に接続メッセージを伝送し（Ｓ２８６）、その応答を受信する（Ｓ２８８）。
【００３５】
このように発信側端末機１０と受信端末機５０間において呼が接続されると、着信側交換機と着信側端末機間において設定されていたプロトコルが解除される（Ｓ２８９）。次に、Ｈ.２４５プロトコルによる音声及び映像チャンネル設定などに関する交渉が発信側端末機１０と着信側端末機５０間において行なわれ（Ｓ２９０）、Ｈ.２２３プロトコルに基づいて映像及び音声データが伝送され、ビデオ通話が行なわれる（Ｓ２９２）。
【００３６】
図３は、本発明の第２実施の形態によるビデオ通話の着信待ち時にマルチメディアコンテンツを提供する過程を示したフローチャートであり、図４は、この場合の通信システムの構成を示した図である。
【００３７】
本実施の形態は、上記第１実施の形態と類似しているが、メディアＩＰ６０及び加入者サーバー６５を備え、上記メディアＩＰ６０と着信側端末機５０間において３Ｇ.３２４Ｍプロトコルが設定されるという相違点がある。また、加入者サーバー６５は、発信側端末機使用者が設定したマルチメディアコンテンツの識別情報、例えば、メディアコードを格納し、メディアＩＰ６０の質疑に応答して当該メディアコードをメディアＩＰに提供する。これにより、メディアＩＰ５０は、当該コードに対応するマルチメディアコンテンツを着信側端末機５０に提供する。
【００３８】
図３に示された呼処理過程において、発信側端末機１０がビデオ通話を行なうことができるように３Ｇ.３２４Ｍプロトコルを設定するための呼セットアップメッセージを発信側交換機２０に伝送するステップ（Ｓ３１０）から、発信側交換機４０が着信側交換機４０にＩＡＭメッセージを伝送するステップ（Ｓ３３０）までは、前述した従来の第３世代移動通信網（３Ｇ.３２４Ｍ規格の使用）においてビデオ通話を提供するための一般的な呼処理過程と同じであるため、ここではその説明を省略する。
【００３９】
なお、上記ステップ（Ｓ３２０）における、ＳＲＩ要請時に使用されるＯ＿ＳＦＩ（Ｏｒｉｇｉｎａｔｉｎｇ＿Ｓｅｒｖｉｃｅ Ｆｅａｔｕｒｅｓ Ｉｎｄｉｃａｔｏｒ）パラメーターは、発信加入者のサービスを着信網に知らせ、着信側においてマルチメディアサービスを提供するための手続きを進めるようにするパラメーターである。ＶＬＲ（ビジター・ロケーション・レジスター；Ｖｉｓｉｔｏｒ Ｌｏｃａｔｉｏｎ Ｒｅｇｉｓｔｅｒ）にＯ＿ＳＦＩが設定された加入者が発信した場合、発信側交換機は、Ｏ＿ＳＦＩを含むＳＲＩをＨＬＲに伝送する。なお、ＣＦＵ（無条件着信転送；Ｃａｌｌ Ｆｏｒｗａｒｄｉｎｇ Ｕｎｃｏｎｄｉｔｉｏｎａｌ）によって第２のＳＲＩが伝送される場合にも同様である。
【００４０】
上記発信側交換機２０が着信側交換機４０にＩＡＭメッセージを伝送する（Ｓ３３０）。このとき、上記ＩＡＭメッセージ内において、映像呼の試みによってＴＭＲ（Ｔｒａｎｓｍｉｓｓｉｏｎ ｍｅｄｉａ Ｒａｔｅ）パラメーターが６４ｋｂｐｓ ｕｎｓｔｒｕｃｔｕｒｅｄに設定され、本発明によるアーリーメディアサービスを識別することができるようにＯ＿ＳＦＩパラメーターが、例えば、ＭｕｌｔｉＲｉｎｇに設定されてよい。そして、着信側交換機４０は、上記ＩＡＭメッセージの受信に応答してマルチメディアデータを提供する着信側端末機の識別情報を含むＩＡＭをメディアＩＰ６０に伝送する（Ｓ３４０）。
【００４１】
上記メディアＩＰ６０は、着信側交換機４０に着信側端末機の識別情報を読み取った旨を知らせるＡＣＭ（Ａｄｄｒｅｓｓ Ｃｏｍｐｌｅｔｅ Ｍｅｓｓａｇｅ）メッセージを伝送し（Ｓ３４２）、加入者サーバー６５に発信者が予め登録しておいたメディアコードを要請した後、上記加入者サーバー６５からメディアコードを受信する（Ｓ３４８）。ここで、上記メディアコードは、着信側端末機５０に伝送されるマルチメディアコンテンツの識別子のことを意味する。
【００４２】
次に、着信側交換機４０がＩＡＭに応じて着信側端末機５０にページング（Ｐａｇｉｎｇ）を伝送し（Ｓ３５０）、着信側端末機５０が上記ページングに対する応答メッセージ（Ｐａｇｉｎｇ Ｒｅｓｐｏｎｓｅ）を上記着信側交換機４０に伝送する（Ｓ３５２）。
【００４３】
次に、着信側交換機４０は、上記着信側端末機５０に着信セットアップメッセージ（Ｓｅｔｕｐ）を伝送する（Ｓ３６０）。ここでも、上記着信セットアップメッセージは、経過識別子（ＰｒｏｇｒｅｓｓＩｎｄｉｃａｔｏｒ）パラメーターにビデオ通話のための３Ｇ.３２４Ｍプロトコル開始命令（Ｒｅｑｕｅｓｔ ３Ｇ.３２４Ｍ Ｉｎｉｔｉａｔｉｏｎ）を含む。
【００４４】
次に、着信側端末機５０が着信側交換機４０に呼確認（Ｃａｌｌ Ｃｏｎｆｉｒｍｅｄ）メッセージを伝送し（Ｓ３６２）、Ａｌｅｒｔメッセージを着信側交換機４０に伝送する（Ｓ３７０）。また、着信側端末機５０は、上記セットアップメッセージの経過識別子パラメーターに含まれた３Ｇ.３２４Ｍプロトコル開始命令に応じて、Ｈ.２４５設定を試みて、上記着信側端末機とメディアＩＰ間においてＨ.２４５プロトコルによるチャンネルが設定される（Ｓ３７４及びＳ３７５）。上記チャンネルを介してＨ.２２３プロトコルに基づき、着信側交換機４０を経由してメディアＩＰ６０と着信側端末機５０間においてデータの送受信が行なわれ得る（Ｓ３７６及びＳ３７７）。この結果、メディアＩＰ６０に格納されていたコンテンツが着信側交換機４０を介して着信側端末機５０に提供される。
【００４５】
一方、着信側交換機４０は、着信側端末機の識別情報を読み取った旨を知らせるＡＣＭ（Ａｄｄｒｅｓｓ Ｃｏｍｐｌｅｔｅ Ｍｅｓｓａｇｅ）メッセージを発信側交換機２０に伝送し（Ｓ３７８）、上記発信側交換機２０は、発信側端末機にそれを知らせるＡｌｅｒｔメッセージ（Ａｌｅｒｔ）を伝送する（Ｓ３７９）。
【００４６】
次に、着信側端末機５０が呼着信に応答して呼を受信すれば、着信側端末機５０は、着信側交換機４０に接続メッセージ（Ｃｏｎｎｅｃｔ）を伝送し（Ｓ３８０）、その応答（Ｃｏｎｎｅｃｔ Ａｃｋ）を受信する（Ｓ３８２）。
【００４７】
一方、着信側交換機４０は、着信側端末機５０から接続メッセージを受信すれば、ＡＮＭ（Ａｎｓｗｅｒ Ｍｅｓｓａｇｅ）を発信側交換機２０に伝送し（Ｓ３８４）、発信側交換機２０は、発信側端末機１０に接続メッセージを伝送し（Ｓ３８６）、その応答を受信する（Ｓ３８８）。
【００４８】
一方、上記ステップ（Ｓ３８０）のように着信側端末機が接続（ｃｏｎｎｅｃｔ）メッセージを伝送することで発信に応答した場合、着信側交換機４０と着信側端末機５０間において既に構成されていた３Ｇ.３２４Ｍチャンネルを解除する（Ｓ３８９−１）。また、着信側交換機４０は、メディアＩＰ６０に回線解除要求（ＲＥＬ）メッセージを伝送した後（Ｓ３８９−２）、上記メディアＩＰ６０から応答（ＲＬＣ）メッセージを受信し（Ｓ３８９−３）、メディアＩＰと設定されていたチャンネルを解除する。
【００４９】
また、前述したように発信側端末機１０と受信端末機５０間において呼が接続されると（ステップＳ３８０〜Ｓ３８８）、Ｈ.２４５プロトコルによる音声及び映像チャンネルの設定などに関する交渉が発信側端末機１０と着信側端末機５０間において行なわれ（Ｓ３９０）、Ｈ.２２３プロトコルに基づいて映像及び音声データが伝送され、ビデオ通話が行なわれるようになる（Ｓ３９２）。
【００５０】
上記実施の形態において、着信側交換機４０は、ＰＲＮメッセージまたはＩＡＭメッセージから受信したＯ＿ＳＦＩパラメーターに記載されたマルチリングサービス要請に応じて、ステップ（Ｓ３６０）において、着信セットアップメッセージに３Ｇ.３２４Ｍプロトコルを要請する経過識別子フィールドを伝送することができる。また、交換機は、メッセージにＯ＿ＳＦＩが含まれていた場合、かかる情報をＶＬＲに格納することができる。
【００５１】
上記実施の形態のようにメディアＩＰ６０などの外部装置と連動してマルチメディアコンテンツを提供するためには、交換機４０とメディアＩＰ６０とを互いに接続するためのインターフェースを備える必要がある。例えば、経路指示数字（Ｒｏｕｔｉｎｇ ｄｉｇｉｔ）に割り当てられたメディアＩＰにＩＡＭメッセージを伝送して通話チャンネルを設定することができる（ステップＳ３４０〜Ｓ３４２）。このとき、ＩＡＭメッセージのＣａｌｌｉｎｇＰａｒｙＮｕｍｂｅｒパラメーター値を「３Ｇ ＩＰ ＲｏｕｔｉｎｇＤｉｇｉｔｓ＋発信ＭＳＩＳＤＮ」に設定する（ステップＳ３４０）。
【００５２】
上記実施の形態では、着信側に提供されるマルチメディアの音源がメディアＩＰ６０に格納されることと説明した。なお、メディアコード、例えば、音源コードに対応するコンテンツがメディアサーバーに格納されていない場合には、メディアＩＰが別途のコンテンツサーバーに要請して当該コンテンツの伝送を受け、その後、当該コンテンツを着信側端末機に伝送することもできる。
【００５３】
本発明において使用される端末機は、着信セットアップメッセージの経過識別子パラメーター値を処理することができる機能を備える。着信セットアップメッセージに経過識別子パラメーターが存在し、その値が３Ｇ.３２４Ｍ開始要求命令である場合、Ｈ.２４５プロトコルによるチャンネル設定を試みる必要がある。また、通話呼を受信する着信応答の際、着信側端末機は、接続（ｃｏｎｎｅｃｔ）メッセージを伝送し、発信側端末機１０との間においてＨ.２４５プロトコルによるチャンネルを設定しなければならない。
【００５４】
本発明において使用されるメディアＩＰ６０は、着信側交換機４０との間において通話にてチャンネルが割り当てられた（ステップＳ３４０〜Ｓ３４２）後に、上記着信側交換機４０を介して着信側端末機５０と３Ｇ.３２４Ｍプロトコルによるチャンネルが設定される（ステップＳ３７４〜Ｓ３７５）。
【００５５】
本発明におけるＨＬＲは、本発明によるマルチメディアデータを着信側端末機に提供するためのサービス加入及び解除有無によってＯ＿ＳＦＩのマルチリングフィールド値を設定する。
【００５６】
図５は、本発明の第３実施の形態によるＩＰ網を介した通話の着信待ち時にマルチメディアコンテンツを提供する場合の通信システムの構成を示した図である。
【００５７】
本実施の形態は、上記第１実施の形態と類似しているが、着信側端末機５０が無線パケット網（ＩＰ網）に接続されており、上記無線パケット網を介して着信側端末機にマルチメディアが伝送されるという相違点がある。
【００５８】
具体的に、上記着信側端末機５０は、無線網と有線網とを接続するアクセスポイント４５（Ａｃｃｅｓｓ Ｐｏｉｎｔ：ＡＰ）及びパケット通信を制御するアクセスポイントコントローラ４３（Ａｃｃｅｓｓ Ｐｏｉｎｔ Ｃｏｎｔｒｏｌｌｅｒ：ＡＰＣ）を介して無線パケット網に接続され、セッション開始プロトコル（Ｓｅｓｓｉｏｎ Ｉｎｉｔｉａｔｉｏｎ Ｐｒｏｔｏｃｏｌ：ＳＩＰ）を基盤にするＡＰＣ４３のゲートウェイ（Ｇ／Ｗ）を介して着信側交換機４０に接続されて呼が設定される。この結果、移動通信網と接続されている発信側端末機１０と音声通信及び／またはデータ通信を行なうことができる。
【００５９】
図６は、かかる通信システムにおいて着信待ち時にマルチメディアコンテンツを提供する過程を示したフローチャートである。
【００６０】
図６に示された呼処理過程において、発信側端末機１０が音声通話を行なうことができるように呼セットアップメッセージを発信側交換機２０に伝送するステップ（Ｓ６１０）から、発信側交換機４０がルーティング情報を獲得し着信側交換機４０にＩＡＭメッセージを伝送するステップ（Ｓ６３０）までは、既存の移動通信網において音声通話を提供するための一般的な呼処理過程と類似しているため、ここではその説明を省略する。
【００６１】
上記発信側交換機２０が着信側交換機４０にＩＡＭメッセージを伝送した後（Ｓ６３０）、着信側交換機４０は、ＡＰＣ４５に着信側端末機に対するページングを要請し（Ｓ６５０）、上記ＡＰＣ４５は、着信側端末機５０に着信を知らせるＳＩＰ要請メッセージ（ＳＩＰ Ｉｎｖｉｔｅ Ｒｅｑｕｅｓｔ Ｍｅｓｓａｇｅ）を伝送する（Ｓ６５１）。次に、着信側端末機５０は、呼接続を承諾するＳＩＰ確認メッセージをＡＰＣ４５に伝送し（Ｓ６５２）、ＡＰＣ４５は、着信側交換機４０にページング要請に対する応答メッセージを伝送する（Ｓ６５３）。
【００６２】
上記過程を経て着信側端末機５０が無線パケット網に接続されると、上記無線パケット網を介して着信側交換機４０またはメディアＩＰ（図示せず）に格納されていた、発信者が予め登録しておいたマルチメディアデータが着信側端末機５０に提供される（Ｓ６７６）。
【００６３】
一方、着信側交換機４０は、着信側端末機の識別情報を読み取った旨を知らせるＡＣＭ（Ａｄｄｒｅｓｓ Ｃｏｍｐｌｅｔｅ Ｍｅｓｓａｇｅ）メッセージを発信側交換機２０に伝送し（Ｓ６７８）、上記発信側交換機２０は、発信側端末機にそれを知らせるＡｌｅｒｔメッセージを伝送する（Ｓ６７９）。
【００６４】
次に、着信側端末機５０が呼着信に応答して呼を受信すれば、着信側端末機５０は、着信側交換機４０に接続メッセージ（Ｃｏｎｎｅｃｔ）を伝送し（Ｓ６８０）、その応答（Ｃｏｎｎｅｃｔ Ａｃｋ）を受信する（Ｓ６８２）。
【００６５】
一方、着信側交換機４０は、着信側端末機５０から接続メッセージを受信すれば、ＡＮＭ（Ａｎｓｗｅｒ Ｍｅｓｓａｇｅ）を発信側交換機２０に伝送し（Ｓ６８４）、発信側交換機２０は、発信側端末機１０に接続メッセージを伝送し（Ｓ６８６）、その応答を受信する（Ｓ６８８）。
【００６６】
このように発信側端末機１０と受信端末機５０間において呼が接続されると、上記発信側端末機１０及び着信側端末機５０間において音声またはビデオ通話が行なわれるようになる（Ｓ６９２）。
【００６７】
本発明による実施の形態は上述したものに限定されるものではなく、本発明に関連して通常の知識を有する者に自明な範囲内で種々に修正及び変更して実施することができる。
【産業上の利用可能性】
【００６８】
本発明によれば、移動通信における通話の際、着信者が呼を受信する前に着信側端末機と網間においてマルチメディア伝送が可能なプロトコルを設定し、イメージや動画などのマルチメディアを着信者が呼を受信する前に着信側端末機に伝送することができる。この結果、着信者は通話が接続される前にマルチメディアを楽しむことができる。また、上記マルチメディアが発信者に係るオーディオ、イメージ、または動画である場合、着信者は受信されるマルチメディアから発信者を確認することもできる。
【図１】
2010500812.tif 000003
【図２】
2010500812.tif 000004
【図３】
2010500812.tif 000005
【図４】
2010500812.tif 000006
【図５】
2010500812.tif 000007
【図６】
2010500812.tif 000008
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
移動通信システムにおいて発信側端末機が通話呼の接続を試みた後、着信側端末機が応答して通話接続される前にマルチメディアコンテンツを前記着信側端末機に提供する方法であって、
発信側端末機の通話要求を受信するステップ（ａ）と、
着信側端末機にページングを行い、着信セットアップメッセージを着信側端末機に伝送するステップ（ｂ）と、
前記着信側端末機へのマルチメディア伝送用チャンネルを設定するステップ（ｃ）と、
前記マルチメディアコンテンツを前記マルチメディア伝送用チャンネルを介して前記着信側端末機に提供するステップ（ｄ）と、
前記着信側端末機から呼応答を受信し、前記マルチメディア伝送用チャンネルを解除するステップ（ｅ）、及び
前記着信側端末機と前記発信側端末機間において呼を接続するステップ（ｆ）とを含むことを特徴とする、マルチメディアコンテンツを着信側端末機に提供する方法。
【請求項２】
前記ステップ（ｂ）の着信セットアップメッセージは、前記着信側端末機と着信側交換機間において前記マルチメディア伝送チャンネルを設定するためのプロトコルの開始命令を含むことを特徴とする請求項１に記載の方法。
【請求項３】
前記開始命令は、前記マルチメディア伝送チャンネルを設定するためのプロトコルの識別情報を含むことを特徴とする請求項２に記載の方法。
【請求項４】
前記マルチメディア伝送チャンネルを設定するためのプロトコルは、３Ｇ.３２４Ｍであることを特徴とする請求項３に記載の方法。
【請求項５】
前記ステップ（ｆ）に後続して、前記発信側端末機と前記着信側端末機間において３Ｇ.３２４Ｍプロトコルを用いてビデオ通話用チャンネルを設定するステップ（ｇ）をさらに含むことを特徴とする請求項１に記載の方法。
【請求項６】
前記マルチメディアコンテンツは、オーディオデータ、ビデオデータ、またはイメージデータであることを特徴とする請求項１に記載の方法。
【請求項７】
前記ステップ（ｃ）は、着信側交換機と前記着信側端末機間において前記マルチメディア伝送用チャンネルを設定するステップを含むことを特徴とする請求項１に記載の方法。
【請求項８】
前記ステップ（ｃ）は、前記マルチメディアコンテンツを格納するＩｎｔｅｌｌｉｇｅｎｔ Ｐｅｒｉｐｈｅｒａｌ（ＩＰ）と前記着信側端末機間において着信側交換機を介して前記マルチメディア伝送用チャンネルを設定するステップを含むことを特徴とする請求項１に記載の方法。
【請求項９】
前記ステップ（ａ）と前記ステップ（ｃ）との間に、前記ＩＰが前記着信側交換機から前記発信側端末機の識別番号を受信し、前記着信側端末機に提供する前記マルチメディアコンテンツを識別するステップ（ｈ）をさらに含むことを特徴とする請求項８に記載の方法。
【請求項１０】
発信側端末機が通話呼の接続を試みた後、着信側端末機が応答して通話接続される前にマルチメディアコンテンツを前記着信側端末機に提供するための移動通信システムであって、
発信側端末機の通話要求を受信し、着信側端末機にページングを行なう着信側交換機、及び
前記着信側端末機に提供するためのマルチメディアコンテンツを格納し、前記着信側交換機と連動するメディアＩＰとを含み、
前記着信側交換機は、マルチメディア伝送用チャンネルを設定するためのプロトコルの開始命令が含まれた着信セットアップメッセージを前記着信側端末機に伝送し、
前記メディアＩＰは、着信側交換機から前記発信側端末機の識別番号を受信し、前記着信側端末機が呼に応答する前に前記着信側交換機を介して前記着信側端末機と前記マルチメディア伝送用チャンネルを設定して前記マルチメディアコンテンツを伝送することを特徴とする移動通信システム。
【請求項１１】
前記開始命令は、前記マルチメディア伝送用チャンネルを設定するためのプロトコルの識別情報を含むことを特徴とする請求項１０に記載の移動通信システム。
【請求項１２】
前記マルチメディア伝送用チャンネルを設定するためのプロトコルは、３Ｇ.３２４Ｍであることを特徴とする請求項１１に記載の移動通信システム。
【請求項１３】
前記着信側交換機は、着信側端末機から呼応答を受信すれば、前記マルチメディア伝送用チャンネルを解除し、前記着信側端末機と前記発信側端末機間において呼を接続することを特徴とする請求項１０に記載の移動通信システム。
【請求項１４】
発信側端末機が通話呼の接続を試みた後、着信側端末機が応答して通話接続される前にマルチメディアコンテンツを前記着信側端末機に提供するための交換機（ＭＳＣ；Ｍｏｂｉｌｅ Ｓｗｉｔｃｈｉｎｇ Ｃｅｎｔｅｒ）であって、
前記発信側端末機の通話要求を受信するステップ（ａ）と、
着信側端末機にページングを行い、着信セットアップメッセージを着信側端末機に伝送するステップ（ｂ）と、
前記着信側端末機へのマルチメディア伝送用チャンネルを設定するステップ（ｃ）と、
前記マルチメディアコンテンツを前記マルチメディア伝送用チャンネルを介して前記着信側端末機に提供するステップ（ｄ）と、
前記着信側端末機から呼応答を受信し、前記マルチメディア伝送用チャンネルを解除するステップ（ｅ）、及び
前記着信側端末機と前記発信側端末機間において呼を接続するステップ（ｆ）とを行なうことを特徴とする交換機。
【請求項１５】
前記ステップ（ｂ）の着信セットアップメッセージは、前記着信側端末機に前記マルチメディア伝送チャンネルを設定するためのプロトコルの開始命令を含むことを特徴とする請求項１４に記載の交換機。
【請求項１６】
前記開始命令は、前記マルチメディア伝送用チャンネルを設定するためのプロトコルの識別情報を含むことを特徴とする請求項１５に記載の交換機。
【請求項１７】
前記マルチメディア伝送用チャンネルを設定するためのプロトコルは、３Ｇ.３２４Ｍであることを特徴とする請求項１６に記載の交換機。
【請求項１８】
前記ステップ（ｆ）に後続して、前記発信側端末機と前記着信側端末機間において３Ｇ.３２４Ｍプロトコルを用いてビデオ通話用チャンネルを設定するステップ（ｇ）をさらに行なうことを特徴とする請求項１５に記載の交換機。
【請求項１９】
発信側端末機が呼接続を要請する時、通話接続される前に移動通信システムからマルチメディアコンテンツを受信する移動通信端末機であって、
ページングを受信し応答するステップ（ａ）と、
マルチメディア伝送用チャンネルを設定するためのプロトコルの開始命令が含まれた着信セットアップメッセージを受信するステップ（ｂ）と、
前記開始命令に応じて移動通信システムと前記マルチメディア伝送用チャンネルを設定するステップ（ｃ）と、
前記マルチメディア伝送チャンネルを介して前記マルチメディアコンテンツを受信するステップ（ｄ）、及び
前記発信側端末機が要請した呼に応答し、前記マルチメディア伝送チャンネルを解除するステップ（ｅ）とを行なうことを特徴とする移動通信端末機。
【請求項２０】
前記開始命令は、前記マルチメディア伝送用チャンネルを設定するためのプロトコルの識別情報を含むことを特徴とする請求項１９に記載の移動通信端末機。
【請求項２１】
前記マルチメディア伝送用チャンネルを設定するためのプロトコルは、３Ｇ.３２４Ｍであることを特徴とする請求項２０に記載の移動通信端末機。
【請求項２２】
前記発信側端末機と呼が接続されると、３Ｇ.３２４Ｍプロトコルを用いて前記発信側端末機とビデオ通話用チャンネルを設定するステップ（ｆ）をさらに行なうことを特徴とする請求項１９に記載の移動通信端末機。
【請求項２３】
発信側端末機が呼接続を要請する時、通話接続される前に移動通信端末機が移動通信システムからマルチメディアコンテンツを受信する方法であって、
ページングを受信し応答するステップ（ａ）と、
マルチメディア伝送用チャンネルを設定するためのプロトコルの開始命令が含まれた着信セットアップメッセージを受信するステップ（ｂ）と、
前記開始命令に応じて移動通信システムと前記マルチメディア伝送用チャンネルを設定するステップ（ｃ）と、
前記マルチメディア伝送チャンネルを介して前記マルチメディアコンテンツを受信するステップ（ｄ）、及び
前記発信側端末機が要請した呼に応答し、前記マルチメディア伝送チャンネルを解除するステップ（ｅ）とを行なうことを特徴とする、移動通信システムからマルチメディアコンテンツを受信する方法。
【請求項２４】
前記開始命令は、前記マルチメディア伝送用チャンネルを設定するためのプロトコルの識別情報を含むことを特徴とする、請求項２３に記載の移動通信システムからマルチメディアコンテンツを受信する方法。
【請求項２５】
前記マルチメディア伝送用チャンネルを設定するためのプロトコルは、３Ｇ.３２４Ｍであることを特徴とする、請求項２４に記載の移動通信システムからマルチメディアコンテンツを受信する方法。
【請求項２６】
前記発信側端末機と呼が接続されると、３Ｇ.３２４Ｍプロトコルを用いて前記発信側端末機とビデオ通話用チャンネルを設定するステップ（ｆ）をさらに含むことを特徴とする、請求項２３に記載の移動通信システムからマルチメディアコンテンツを受信する方法。
【国際調査報告】
2010500812.tif 000009
2010500812.tif 000010